(57)【要約】【課題】  水受け具から外れた位置でシート止め材から水が落ちるのを防止できる水受け具を提供する。【解決手段】  シートを伝い落ちる水が流入可能な樋部を有し、取付け状態で樋部の裏側に長手方向に沿って横、斜め上方、又は上方へ開口する溝が形成されるシート止め材に装着されて、そのシート止め材に溜まった水を回収する水受け具Ａであって、シート止め材から流れ落ちる水を受けるとともに、その水を排出する排出口４ａと、この排出口４ａに通じる水路４０が形成される受け皿部４と、この受け皿部４上に位置してシート止め材を取付け可能な取付け部５とを備え、取付け部５には、シート止め材の樋部裏側に形成された上記溝内に挿入される挿入部８ａを含む突条８Ｃ，８Ｌ，８Ｒがシート止め材の長手方向に隙間８０，８１をあけて複数設けられ、その隙間８０，８１が水路４０に通じている。【選択図】  図４
2020182425.tif 000002
【特許請求の範囲】
【請求項１】
シートを定着可能で、前記シートを伝い落ちる水が流入可能な樋部を有し、取付け状態で前記樋部の裏側に長手方向に沿って横、斜め上方、又は上方へ開口する溝が形成されるシート止め材に装着されて、前記シート止め材に溜まった水を回収する水受け具であって、
前記シート止め材から流れ落ちる水を受けるとともに、前記水を排出する排出口と、前記排出口に通じる水路が形成される受け皿部と、
前記受け皿部上に位置して前記シート止め材を取付け可能な取付け部とを備え、
前記取付け部には、前記溝内に挿入される挿入部を含む突部又は突条が前記シート止め材の長手方向に隙間をあけて複数設けられ、
前記隙間が前記水路に通じている
ことを特徴とする水受け具。
【請求項２】
前記突部又は突条は、三つ以上設けられている
ことを特徴とする請求項１に記載の水受け具。
【請求項３】
前記シート止め材の短手方向に沿う方向で切断したときの前記挿入部の外周形状は、前記方向で切断したときの前記溝の内側形状と符合する形状となっている
ことを特徴とする請求項１又は２に記載の水受け具。
【請求項４】
前記シート止め材は、横並びに配置される露受けフレーム及び下側のシート定着フレームと、前記露受けフレーム及び前記下側のシート定着フレームの上側に重なるように配置される上側のシート定着フレームとを有し、前記上側のシート定着フレームには、前記シートが定着可能で、前記下側のシート定着フレームには、他のシートが定着可能となっており、
前記下側のシート定着フレームと前記上側のシート定着フレームは、それぞれ、長尺板状の底部と、前記底部の長手側の二辺から互いに接近しつつ起立する第一の側部及び第二の側部とを含み、
前記下側のシート定着フレームにおいて前記露受けフレーム側に位置する前記第一の側部は、前記上側のシート定着フレームの前記底部に連なり、
前記上側のシート定着フレームが前記樋部となり、
前記上側のシート定着フレームの前記底部と前記下側のシート定着フレームの前記第一の側部との間が前記溝となっている
ことを特徴とする請求項１から３の何れか一項に記載の水受け具。
【請求項５】
前記露受けフレームは、前記下側のシート定着フレームの前記底部と横並びに配置される長尺板状の受け部と、前記受け部における前記下側のシート定着フレーム側の基端と前記上側のシート定着フレームの前記底部とをつなぐ連結部とを含み
前記取付け部には、前記露受けフレームの前記受け部の先端を上側から押さえる第一の押さえ部と、弾性を有して前記下側のシート定着フレームの前記第二の側部を上側から押さえる第二の押さえ部とが設けられ、
前記突部又は突条は、前記上側のシート定着フレームの前記底部を下側から支える
ことを特徴とする請求項４に記載の水受け具。
【請求項６】
前記取付け部における前記下側のシート定着フレームの前記底部と対向する部分には、前記第二の押さえ部へ向けて下り勾配となる傾斜面が形成されている
ことを特徴とする請求項５に記載の水受け具。
【請求項７】
前記シート止め材の長手方向の一端を突当可能なストッパ部を備え、
前記ストッパ部の根本がくびれている
ことを特徴とする請求項１から６の何れか一項に記載の水受け具。
【発明の詳細な説明】
【技術分野】
【０００１】
本発明は、水受け具の改良に関する。
【背景技術】
【０００２】
従来、水受け具は、例えば、ビニールハウスの屋根部のシートを止めるシート止め材に装着されている。そして、シートの内側面に生じた結露水がシートを伝い落ちるとシート止め材に流れ込み、そのシート止め材によって水受け具へと導かれ、その水受け具によって回収されて、水受け具に取付けられたドレンパイプを通じてビニールハウスの外へ排出される。
【０００３】
シート止め材には様々な種類があるが、その中には、シートを止めるシート定着フレームと、これに横並びに配置されてシートを伝い落ちる結露水を受ける露受けフレームとを備えるものがある。そして、そのシート止め材に装着される水受け具は、例えば、特許文献１に記載のように、矩形であって長手側の一辺中央にドレンパイプを接続する排出口が設けられた受け皿部と、二本のシート止め材を直列に並べて取付け可能な取付け部とを有する。
【０００４】
受け皿部において、反排出口側の一辺を除く三辺には壁部が設けられている。取付け部は、その壁部の内側に隙間をあけて配置され、取付け部と壁部との間が排出口に通じる水路となっている。また、取付け部は、シート止め材の露受けフレームの先端を押さえる第一の押さえ部と、シート定着フレームの両側部を押さえる第二、第三の押さえ部とを有する。これらの押さえ部は、受け皿部における排出口が手前で、短手側の二辺が左右に並ぶようにして水受け具を見たときに、左右に横長な形状となっており、押さえ部の左右の端部から押さえ部の間にシート止め材をそれぞれ挿し込める。
【０００５】
また、前述のようにして水受け具を見たときに、取付け部の左右方向の中央となる位置には上方へ突出するストッパ部が設けられ、そのストッパ部に押さえ部の間に挿し込まれたシート止め材の端部を突き当てられる。さらに、取付け部の左右方向の中央には手前奥方向へ延びる溝が形成されていて、この溝が水路に通じている。これにより、シート止め材によって導かれた結露水は、シート止め材の端からその溝に落ち、水路及び排出口を通じてビニールハウスの外へと排出される。
【先行技術文献】
【特許文献】
【０００６】
【特許文献１】特開２００２−０８４９００号公報
【発明の概要】
【発明が解決しようとする課題】
【０００７】
前述のように、シート止め材には様々な種類があり、水受け具は複種類のシート止め材に装着可能となっている。例えば、上記水受け具は、横並びに配置される露受けフレームとシート定着フレームの上に、さらにシート定着フレームが重なるように配置されたシート止め材にも装着できる。このようなシート止め材を利用すると、上側のシート定着フレームにビニールハウスの屋根部のシートを止めるとともに、下側のシート定着フレームにビニールハウス側面のシートを止める等、シートの張分けが可能になる。
【０００８】
また、そのシート止め材では、シートを定着するため上方へ開口する上側のシート定着フレームにも結露水が流れ込む。このため、上側のシート定着フレームも水を水受け具へ導く樋部として機能する。上側のシート定着フレームを流れる水も、基本的には、上側のシート定着フレームの端から水受け具の溝内に流れ落ち、水受け具で回収される。しかし、上側のシート定着フレームの端部に達した水の一部がその上側のシート定着フレームの端から裏側（下側、裏面）へ回り込む可能性がある。
【０００９】
そして、上側のシート定着フレームの裏側へ水が回り込んでしまった場合、シート止め材の取付け角度、歪みの程度等によっては、上側のシート定着フレームの底部と、これに連なる下側のシート定着フレームの側部によってできるＶ字状の溝（窪み）にその回り込んだ水が溜まり、その水が増えるとその溝内を水が水受け具から離れる方向へ流れ、水受け具から外れた（水受け具のない）位置で溝から水が零れ落ちる虞がある。
【００１０】
そこで、本発明は、上側のシート定着フレームのような樋部の裏側に長手方向に沿って水が溜まる可能性のある溝が形成されるシート止め材に水受け具が装着された場合に、水受け具から外れた位置でシート止め材から水が落ちるのを防止できる水受け具の提供を目的とする。
【課題を解決するための手段】
【００１１】
上記課題を解決する水受け具は、シートを伝い落ちる水が流入可能な樋部を有してその裏側に長手方向に沿って横、斜め上方、又は上方へ開口する溝が形成されるシート止め材に装着される。そして、水受け具は、シート止め材から流れ落ちる水を受けるとともに、その水を排出する排出口と、この排出口に通じる水路が形成される受け皿部と、この受け皿部上に位置してシート止め材を取付け可能な取付け部とを備えている。さらに、その取付け部には、上記シート止め材の樋部裏側に形成された溝内に挿入される挿入部を含む突部又は突条がシート止め材の長手方向に隙間をあけて複数設けられ、その隙間が上記水路に通じている。
【００１２】
前述のように、シート止め材の樋部裏側に形成された溝が横、斜め上方、又は上方へ開口する場合、その溝に水が溜まり、その水が増えると水受け具から離れる方向へ流れる可能性がある。しかし、そのようなシート止め材を利用する場合であっても、そのシート止め材に上記水受け具を装着すれば、突部又は突条の挿入部によって水が溝へ流入するのを抑制し、水が溝を水受け具から離れる方向へ流れるのを妨げられる。
【００１３】
さらに、上記水受け具では、挿入部を含む突部又は突条がシート止め材の長手方向に断続的に設けられ、突部又は突条間にできる隙間が水路に通じている。このため、シート止め材が少なくとも一以上の隙間を跨ぐように水受け具を装着すれば、樋部の裏側に回り込んだ水が一つの突部又は突条における挿入部と溝との間に入り込んだとしても、隣の突部又は突条より手前にある隙間によってその水を水路へと逃がし、隣の突部又は突条における挿入部と溝との間に水が入り込むのを防止できる。
【００１４】
これにより、シート止め材においてシートを伝い落ちる水が流入する樋部の裏側に横、斜め上方、又は上方へ開口して水が溜まる可能性のある溝ができたとしても、そのシート定着フレームに本発明に係る水受け具を装着すれば、樋部裏側にできた溝に水が溜まるのを抑制できるとともに、その溝に水が入り込んだとしても、その水が水受け具から外れた位置まで移動するより前に水受け具に回収できる。
【００１５】
また、上記水受け具では、突部又は突条が三以上設けられていてもよい。このようにすると、水受け具が二本のシート止め材を直列につなぐジョイントとして利用される場合、二本のシート止め材の端が両方とも中間位置（両端を除いた位置）にある突部又は突条に重なるように水受け具を装着すれば、二本のシート止め材それぞれにおいて、水受け具から外れた位置でシート止め材から水が落ちるのを防止できる。
【００１６】
また、上記水受け具では、シート止め材の短手方向に沿う方向で切断したときの挿入部の外周形状が、これと同じ方向で切断したときの溝の内側形状と符合する形状となっていてもよい。このようにすると、挿入部で溝を略完全に埋められるので、挿入部によって水が溝へ流入するのを抑制したり、水が溝を水受け具から離れる方向へ流れるのを妨げたりする効果が高く、シート止め材の水受け具から外れた位置で水がシート止め材から落ちるのをより確実に防止できる。
【００１７】
また、上記水受け具が装着されるシート止め材が、横並びに配置される露受けフレーム及び下側のシート定着フレームと、これらの上側に重なるように配置される上側のシート定着フレームとを有するとともに、下側のシート定着フレームと上側のシート定着フレームが、それぞれ、長尺板状の底部と、この底部の長手側の二辺から互いに接近しつつ起立する第一の側部及び第二の側部とを含み、下側のシート定着フレームにおいて露受けフレーム側に位置する第一の側部が上側のシート定着フレームの底部に連なっていてもよい。
【００１８】
このようにすると、上側のシート定着フレームが上記樋部となり、その上側のシート定着フレームの底部と下側のシート定着フレームの第一の側部との間が上記溝となることがある。そして、このような場合には、ビニールハウスを構成するシート止め材や水受け具以外の部品との関係で、上下のシート定着フレームの形状を大きく変更するのが難しく、上側のシート定着フレームが樋部とならないようにしたり、上下のシート定着フレームの間に溝ができないようにしたり、溝に水が溜まらないような形状や開口方向にしたりできないことがある。このため、上記シート止め材に本発明に係る水受け具を装着するのが特に有効である。
【００１９】
また、上記水受け具が装着されるシート止め材の露受けフレームが、下側のシート定着フレームの底部と横並びに配置される長尺板状の受け部と、この受け部における下側のシート定着フレーム側の基端と上側のシート定着フレームの底部とをつなぐ連結部とを含むとともに、上記水受け具の取付け部に上記露受けフレームの受け部の先端を上側から押さえる第一の押さえ部と、弾性を有して下側のシート定着フレームの第二の側部を上側から押さえる第二の押さえ部とが設けられ、上記突部又は突条が上側のシート定着フレームの底部を下側から支えるとしてもよい。
【００２０】
このようにすると、第一の押さえ部と第二の押さえ部とでシート止め材を短手方向の両側から支えるとともに、第一、第二の押さえ部と突条とでシート止め材を上下方向の両側から支え、これにより取付け部にシート止め材を保持できる。さらに、第二の押さえ部が弾性を有しているので、この第二の押さえ部を弾性変形させることによってシート止め材の下側から上下方向へ水受け具を着脱できる。このため、シート止め材がビニールハウスに固定された状態であっても、水受け具の着脱が容易であり、水受け具の交換作業を容易にできる。また、水受け具をシート止め材の長手方向の任意の位置に装着できる。
【００２１】
また、上記水受け具では、取付け部における下側のシート定着フレームの底部と対向する部分に、第二の押さえ部へ向けて下り勾配となる傾斜面が形成されていてもよい。このようにすると、シート止め材の下側から上下方向へ水受け具を着脱する作業を容易にできる。
【００２２】
また、上記水受け具がシート止め材の長手方向の一端を突当可能なストッパ部を備え、そのストッパ部の根本がくびれていてもよい。このようにすると、ストッパ部を容易に除去できるので、水受け具をシート止め材の長手方向の中間位置（両端を除いた位置）に装着する際、ストッパ部が邪魔にならず、水受け具をシート止め材の長手方向の任意の位置に取付けやすい。
【発明の効果】
【００２３】
本発明に係る水受け具によれば、樋部を有してその裏側に長手方向に沿って水が溜まる可能性のある溝が形成されるシート止め材に装着された場合に、水受け具から外れた位置でシート止め材から水が落ちるのを防止できる。
【図面の簡単な説明】
【００２４】
【図１】本発明の一実施の形態に係る水受け具の取付け状態を示した斜視図である。
【図２】本発明の一実施の形態に係る水受け具が装着されるシート止め材の一部を拡大して示した斜視図である。
【図３】本発明の一実施の形態に係る水受け具がシート止め材に装着された状態を示す左側面図である。
【図４】本発明の一実施の形態に係る水受け具を斜め手前側から見た斜視図である。
【図５】本発明の一実施の形態に係る水受け具を斜め奥側から見た斜視図である。
【図６】図４に示す水受け具のＸＸ線断面図である。
【発明を実施するための形態】
【００２５】
以下に本発明の実施の形態に係る水受け具について、図面を参照しながら説明する。いくつかの図面を通して付された同じ符号は、同じ部品（部分）を示す。
【００２６】
図１に示すように、本発明の一実施の形態に係る水受け具Ａは、ビニールハウスＨの屋根部のシート（以下、屋根シートＢ１という）、及び側面のシート（以下、側面シートＢ２という）を止めるシート止め材Ｆに装着されている。以下の説明では、本実施の形態に係る水受け具Ａ、及びその水受け具Ａが装着されるシート止め材ＦがビニールハウスＨに取付けられた状態での「上」「下」を、特別な説明がない限り、単に「上」「下」という。
【００２７】
水受け具Ａが装着されるシート止め材Ｆは、ビニールハウスＨの肩部又はその近傍に、ビニールハウスＨの奥行き方向へ延びるように地面に対して略水平に取付けられる。シート止め材Ｆは、アルミ又はスチール等の金属製の長尺物であって、その長手方向のどの位置でシート止め材Ｆを短手方向へ切断しても、その切断面の形状が略同じになっている。シート止め材Ｆの構造について、より詳しく説明すると、シート止め材Ｆは、図２に示すように、その短手方向に横並びに配置される露受けフレーム１及び下側のシート定着フレーム２と、これらの上側に重なるように配置される上側のシート定着フレーム３とを有する。
【００２８】
上下のシート定着フレーム３，２は、それぞれ、細長い矩形板状の底部３ａ，２ａと、その底部３ａ，２ａの長手側の二辺から互いに接近しつつ起立する第一の側部３ｂ，２ｂ及び第二の側部３ｃ，２ｃとを有する。露受けフレーム１が下側のシート定着フレーム２の左側に来るようにシート止め材Ｆを見たとき、左側に位置する側部を上下のシート定着フレーム３，２の第一の側部３ｂ，２ｂ、右側に位置する側部を第二の側部３ｃ，２ｃとすると、上側のシート定着フレーム３の底部３ａにおける右側（第二の側部３ｃ側）の端に、下側のシート定着フレーム２の第一の側部２ｂの上端が連なっている。
【００２９】
そして、上下のシート定着フレーム３，２には、それぞれ、底部３ａ，２ａと、第一、第二の側部３ｂ，３ｃ，２ｂ，２ｃによって上方へ開口するシート定着溝３０，２０が長手方向に沿って形成される。そして、各シート定着溝３０，２０に、シートを挿入し、その上から波形のスプリングＳ（図１）を挿入することで、シート止め材Ｆにシートを定着できる。シート止め材Ｆに定着するシートは、透明シート、遮光シート、メッシュシート等、各種シートを選択できるとともに、一つのシート定着溝に複数のシートを重ねて定着してもよい。このように、シート止め材Ｆに定着するシートの種類、及び数は自由に選択できる。
【００３０】
なお、図１では、上側のシート定着フレーム３に屋根シートＢ１の端部が止められ、下側のシート定着フレーム２に側面シートＢ２の上端が止められている。また、側面シートＢ２は、その下端から巻取り可能となっており、換気又は温度調整等のためにビニールハウスＨの側面を開放できる。このような場合には、害虫、害鳥、害獣等の侵入を防ぐため、下側のシート定着フレーム２にメッシュシートを定着してもよい。さらに、そのような場合には、屋根シートＢ１と側面シートＢ２を重ねて上側のシート定着フレーム３に止めたり、屋根シートＢ１と側面シートＢ２を一続きにしてその境界部を上側のシート定着フレーム３に止めたりしてもよい。
【００３１】
つづいて、図２に示すように、露受けフレーム１は、上下のシート定着フレーム３，２の底部３ａ，２ａを下方へ向けてシート止め材Ｆを水平面上に載置した状態で、下側のシート定着フレーム２の底部２ａと同じ高さに位置する細長い矩形板状の受け部１ａと、この受け部１ａの下側のシート定着フレーム２側の端（基端）と上側のシート定着フレーム３の底部３ａとをつなぐ連結部１ｂとを有する。この連結部１ｂの上端は、上側のシート定着フレーム３の底部３ａにおける短手方向の中心から第一の側部３ｂ側に若干ずれた位置に連なっている。
【００３２】
そして、シート止め材Ｆは、図３に示すように、上下のシート定着フレーム３，２の底部３ａ，２ａが第一の側部３ｂ，２ｂから第二の側部３ｃ，２ｃへ向けて下り勾配をもつようにビニールハウスＨの骨組に固定される。これにより、露受けフレーム１が下側のシート定着フレーム２の斜め上方に位置する。上記構成によれば、屋根シートＢ１に生じた結露水がその屋根シートＢ１を伝ってシート止め材Ｆに当たると、その多くが上側のシート定着フレーム３の第一の側部３ｂの外壁を伝って露受けフレーム１に流れ込み、その他の一部が屋根シートＢ１と第一の側部３ｂとの間からシート定着溝３０内に流れ込む。
【００３３】
このようにしてシート止め材Ｆに溜まった結露水等の水は、シート止め材Ｆに導かれて水受け具Ａへと向かい、水受け具Ａに回収されて、その水受け具Ａに取付けられたドレンパイプＰを通じてビニールハウスＨの外へ排出される。つまり、シート止め材Ｆは、屋根シートＢ１に生じた結露水を集めて水受け具Ａへと導く樋としても機能する。より具体的には、シート止め材Ｆにおける上下のシート定着フレーム３，２と露受けフレーム１のそれぞれが、水を集めて水受け具Ａへ流す樋部として機能できる。
【００３４】
また、図１に示す水受け具Ａは、ビニールハウスＨの奥行方向に隣り合う二本のシート止め材Ｆ，Ｆのつなぎ目に設けられ、これらを直列に接続するジョイントとしても機能する。さらに、その水受け具Ａは、シート止め材Ｆの下側に装着されていて、シート止め材Ｆによって導かれた水は、シート止め材Ｆの端部から水受け具Ａに流れ込む。このため、図１に示す水受け具Ａは、二本のシート止め材Ｆ，Ｆを直列につなぐとともに、そのつなぎ目からシート止め材Ｆに溜まった水を回収し、ビニールハウスＨ外へと排出できる。
【００３５】
以下、本実施の形態に係る水受け具Ａの構成について詳細に説明する。水受け具Ａは、本実施の形態では合成樹脂製であり、図４に示すように、略矩形であって長手側の一辺中央にドレンパイプＰ（図１，３）を接続する排出口４ａが設けられる受け皿部４と、この受け皿部４上に位置してシート止め材Ｆを取付け可能な取付け部５とを有する。そして、水受け具Ａは、シート止め材Ｆに装着された状態で、受け皿部４の短手側の二辺がビニールハウスＨの奥行き方向へ並び、排出口４ａのない長手側の一辺が排出口４ａを設けた長手側の一辺よりも高い位置にくる（図３）。
【００３６】
以下、説明の便宜上、受け皿部４の短手側の二辺が左右に並び、排出口４ａが手前（正面）にくるようにして水受け具Ａを見たときの「左」「右」「手前」「奥」を単に「左」「右」「手前（又は前）」「奥」とする。すると、図４，５に示すように、受け皿部４の奥端の一辺を除く三辺には、壁部４ｂ，４ｃ，４ｄが連続して起立している。取付け部５は、その壁部４ｂ，４ｃ，４ｄの内側にその壁部４ｂ，４ｃ，４ｄと隙間をあけて配置され、受け皿部４上であって取付け部５と壁部４ｂ，４ｃ，４ｄとの間に排出口４ａへ通じる水路４０が形成されている。左右の壁部４ｂ，４ｄは、前側の壁部４ｃと比較して高さが低く、取付け部５に取付けられたシート止め材Ｆと干渉しない（図３）。
【００３７】
取付け部５は、平面視で矩形の基台５０を有する。この基台５０の左右の中央には、手前奥方向へ延びて水路４０に通じる中央溝５０ａが形成されている（図６）。さらに、取付け部５は、基台５０上に突出形成されて、シート止め材Ｆを短手方向の両側から挟む第一の押さえ部６Ｌ，６Ｒ及び第二の押さえ部７と、これらの間に設けられて、シート止め材Ｆの露受けフレーム１と下側のシート定着フレーム２の間に挿入される突条８Ｃ，８Ｌ，８Ｒと、取付け部５上に左右に並ぶシート止め材Ｆの先端がそれぞれ当接可能なストッパ部９とを有する。
【００３８】
第一の押さえ部６Ｌ，６Ｒは、基台５０の奥端に沿うように、中央溝５０ａを挟んで左右両側にそれぞれ配置されている。左右の第一の押さえ部６Ｌ，６Ｒは、それぞれ断面逆Ｌ字状で、ストッパ部９の左右に位置するシート止め材Ｆ，Ｆの露受けフレーム１における受け部１ａの先端をその上側からそれぞれ押さえる（図３）とともに、水受け具Ａに対するシート止め材Ｆの奥方向への移動を規制する。
【００３９】
第二の押さえ部７は、基台５０の前端に沿って中央溝５０ａを跨ぐように配置されている。その第二の押さえ部７は、基台５０から上方へ起立する脚部７ａと、脚部７ａの上端から奥方向へ斜め上向きに起立する当接部７ｂと、この当接部７ｂの先端から上方へ起立する立上部７ｃとを含む。そして、当接部７ｂは、左右のシート止め材Ｆ，Ｆの下側のシート定着フレーム２における第二の側部２ｃをまとめて上側から押さえる（図３）とともに、水受け具Ａに対するシート止め材Ｆの手前方向への移動を規制する。
【００４０】
突条８Ｃ，８Ｌ，８Ｒは、第一の押さえ部６Ｌ，６Ｒと第二の押さえ部７の間であって、中央溝５０ａを跨ぐ位置と、その左右両側の計三カ所に配置され、それぞれの間に隙間８０，８１が形成されている。そして、ストッパ部９の左側に位置するシート止め材Ｆの右端部が左側の突条８Ｌと中央の突条８Ｃに重なり、これら突条８Ｌ，８Ｃの上端が左側のシート止め材Ｆの上側のシート定着フレーム３における底部３ａにそれぞれ当接する（図３）。その一方、ストッパ部９の右側に位置するシート止め材Ｆの左端部が右側の突条８Ｒと中央の突条８Ｃに重なり、これら突条８Ｒ，８Ｃの上端が右側のシート止め材Ｆの上側のシート定着フレーム３における底部３ａにそれぞれ当接する。
【００４１】
つまり、ストッパ部９を挟んで左右に並ぶシート止め材Ｆ，Ｆは、突条８Ｌ，８ｃ，８Ｒで短手方向の中央部分を下側から支えられるとともに、第一の押さえ部６Ｌ，６Ｒと第二の押さえ部７とで短手方向の両端を上側から押さえられ、これにより、取付け部５に直列に保持される。また、ストッパ部９は、第二の押さえ部７の立上部７ｃにおける奥側面の左右中央となる位置に設けられている。これにより、水受け具Ａの左端及び右端から第一の押さえ部６Ｌ，６Ｒと第二の押さえ部７との間に、シート止め材Ｆをストッパ部９に突き当たるまでそれぞれ挿し込むことで、二本のシート止め材Ｆ，Ｆが水受け具Ａで直列に接続される。
【００４２】
左側の突条８Ｌの左端部と、右側の突条８Ｒの右端部には、シート止め材Ｆの上側のシート定着フレーム３の下側に左右の突条８Ｌ，８Ｒを容易に挿し込めるよう、取付け部５の左端又は右端へ向けて下り勾配をもつ傾斜面（符示せず）が形成されている。これにより、前述のように第一の押さえ部６Ｌ，６Ｒと第二の押さえ部７との間に左右からシート止め材Ｆ，Ｆを挿し込む際に、そのシート止め材Ｆ，Ｆが左右の突条８Ｌ，８Ｒに引っ掛かるのが抑制されて、シート止め材Ｆ，Ｆの挿し込み作業を容易にできる。
【００４３】
さらに、第二の押さえ部７は、弾性を有し、外力が加わると脚部７ａの上端（先端）が第一の押さえ部６Ｌ，６Ｒから離れる方へ脚部７ａの傾きを変えられるとともに、当接部７ｂの上端（先端）が脚部７ａから離れる方へ当接部７ｂの傾きを変えられ、外力が除かれると元の形状（傾き）に戻る。また、基台５０における中央溝５０ａの左右両側であって、下側のシート定着フレーム２の底部２ａと対向する位置に、第二の押さえ部７へ向けて下り勾配をもつ傾斜面５０ｂがそれぞれ形成されていて、その傾斜面５０ｂによって基台５０と第二の押さえ部７との間に広い隙間ができる（図３）。これにより、シート止め材Ｆの下側から上下方向へ水受け具Ａを容易に着脱できる。
【００４４】
具体的には、先ず、水受け具Ａの奥端が前端より下になるように水受け具Ａを傾けて第二の押さえ部７の下側にシート止め材Ｆの下側のシート定着フレーム２における第二の側部２ｃを含む部分を挿し込む。次に水受け具Ａの奥端が前端より上になるように水受け具Ａを回転しつつ、突条８Ｌ，８Ｃ，８Ｒを露受けフレーム１と下側のシート定着フレーム２との間に挿入し、その第二の側部２ｃで第二の押さえ部７を手前側へ押しつつ上方へ押し上げて、露受けフレーム１の受け部１ａの先端を第一の押さえ部６Ｌ，６Ｒの下側へ差し込む。これにより、シート止め材Ｆの下側から水受け具Ａを装着できる。また、上記工程を逆向きにたどれば、シート止め材Ｆから水受け具Ａを下方へ取り外すことができる。
【００４５】
また、本実施の形態では、ストッパ部９の根本がくびれていて、ストッパ部９をニッパ等で容易に切除できる。このようにストッパ部９を除去すれば、シート止め材Ｆの長手方向の任意の位置に水受け具Ａを取付けられる。換言すると、本実施の形態では、シート止め材Ｆの下側から水受け具Ａを上下方向へ着脱できるとともにストッパ部９を容易に除去できるので、水受け具Ａを左右に並ぶシート止め材Ｆ，Ｆのつなぎ目のみならず、一本のシート止め材Ｆの中間部（両端を除いた部分）に取付けるのも容易である。
【００４６】
つづいて、ストッパ部９は、前述のように第二の押さえ部７における左右の中央となる位置にあり、中央溝５０ａの上方にある。これにより、左右に並ぶシート止め材Ｆ，Ｆの端部をそれぞれストッパ部９に当接させた状態では、左右のシート止め材Ｆ，Ｆの間にできる隙間が、平面視で中央溝５０ａに重なる位置にくる。これにより、左右のシート止め材Ｆ，Ｆによって導かれた水は、各シート止め材Ｆの端から中央溝５０ａに零れ落ちる。
【００４７】
前述のように、第二の押さえ部７は中央溝５０ａを跨いで形成されていて、その脚部７ａには中央溝５０ａと水路４０とを連通する通孔７ｄが形成されている。これにより、中央溝５０ａから水路４０へ向かう水の流れが第二の押さえ部７によって妨げられない。また、中央溝５０ａの底は、水受け具Ａがシート止め材Ｆに装着された状態で、通孔７ｄへ向けて下り勾配をもつ（図３）ので、シート止め材Ｆから中央溝５０ａに流れ落ちた水は、通孔７ｄを通って水路４０に流入し排出口４ａへと向かう。
【００４８】
また、左側の第一の押さえ部６Ｌと左側の突条８Ｌとの間、及び右側の第一の押さえ部６Ｒと右側の突条８Ｒとの間には、突条８Ｌ，８Ｒへ向けて下り勾配をもつ傾斜面５０ｃがそれぞれ形成されるとともに、これらの傾斜面５０ｃ，５０ｃと左右の突条８Ｌ，８Ｒとの間に左右へ延びる横溝５０ｄがそれぞれ形成されている。さらに、中央の突条８Ｃの奥側であって、中央溝５０ａの左右両側には、横溝５０ｄの底に連なり、中央溝５０ａへ向けて下り勾配をもつ案内面５０ｅがそれぞれ形成されている。
【００４９】
また、中央溝５０ａの両側であって第一の押さえ部６Ｌ，６Ｒの手前側に形成される傾斜面５０ｃ，５０ｃと、前述の第二の押さえ部７の奥側に形成される傾斜面５０ｂ，５０ｂにおいて、取付け部５の左端部又は右端部に位置する部分には、それぞれ左端又は右端へ向けて下り勾配をもつ傾斜面（符示せず）が形成されている。これにより、第一の押さえ部６Ｌ，６Ｒと第二の押さえ部７との間に左右からシート止め材Ｆ，Ｆを挿し込みやすい。
【００５０】
また、第一の押さえ部６Ｌ，６Ｒと第二の押さえ部７との間に位置してシート止め材Ｆを下側から支える突条８Ｌ，８Ｃ，８Ｒの上端には、それぞれ前方へ突出する挿入部８ａが形成されている。そして、図３に示すように、上側のシート定着フレーム３の底部３ａと、下側のシート定着フレーム２の第一の側部２ｂによって形成される溝Ｖ内に、突条８Ｃ，８Ｌ，８Ｒの各挿入部８ａが挿入される。突条８Ｃ，８Ｌ，８Ｒ及びシート止め材Ｆをそれぞれ短手方向へ切断したときの各挿入部８ａの外周形状は、溝Ｖの内側形状と符合する形状となっており、その溝Ｖが挿入部８ａによって埋められる。
【００５１】
これにより、シート止め材Ｆの取付け角度等によっては、その下側（裏側）にできる溝Ｖが横、斜め上方、又は上方へ開口し、上側のシート定着フレーム３の端部から裏側に回った水がその溝Ｖに溜まる虞があるが、中央の突条８Ｃの挿入部８ａによってその水が溝Ｖに入り込むのが抑制される。さらに、中央の突条８Ｃの挿入部８ａと溝Ｖとの間にできるわずかな隙間に水が入り込んだとしても、その水が増えると中央の突条８Ｃと左（右）の突条８Ｒ(８Ｌ)との間にできる隙間８０（８１）に流れ落ち、中央の突条８Ｃの奥側の案内面５０ｅ又は手前側の傾斜面５０ｂを伝って中央溝５０ａ又は水路４０に回収される。
【００５２】
つまり、シート止め材Ｆの端が重なる中央の突条８Ｃの挿入部８ａは、上側のシート定着フレーム３の一端から裏側へ回った水が溝Ｖに流入し、その溝Ｖ内を水受け具Ａから離れる方向へ向かうのを抑制する。さらに、中央の突条８Ｃと左右の突条８Ｌ，８Ｒとの間にできる隙間８０，８１は、挿入部８ａと溝Ｖとの間にできる隙間よりも十分に大きく水の流入を妨げにくい。このため、シート止め材Ｆの端から裏側に回り込んだ水が一つ目の突条（中央の突条８Ｃ）の挿入部８ａと溝Ｖとの間に入り込んだとしても、水が中央の突条８Ｃに隣り合う左右何れかの突条（８Ｌ又は８Ｒ）の挿入部８ａと溝Ｖとの間に入り込むより前に隙間（８０又は８１）に落ちて、その隙間から水路４０に回収される。
【００５３】
さらに、突条８Ｃ，８Ｌ，８Ｒの奥側面（挿入部８ａと反対側の面）は、平面となっていて、ビニールハウスＨに固定されたシート止め材Ｆに水受け具Ａが装着された状態でその奥側面が下端へ向けて下り勾配をもつ。これにより、上側のシート定着フレーム３の端から裏側に回り込んだ水が中央の突条８Ｃの奥側面上へ流れ込んだとしてもその水が奥側面を伝って横溝５０ｄへ流れ落ちやすく、奥側面から溝Ｖへ流れ込むのを抑制できる。
【００５４】
以下、本実施の形態に係る水受け具Ａの作用効果について説明する。
【００５５】
本実施の形態の水受け具Ａは、屋根シート（シート）Ｂ１を定着可能なシート止め材Ｆに装着されて、そのシート止め材Ｆに溜まった水を回収するものである。さらに、本実施の形態の水受け具Ａが装着されるシート止め材Ｆは、屋根シート（シート）Ｂ１を伝い落ちる水が流入可能な樋部となる上側のシート定着フレーム３を有し、取付け状態でその上側のシート定着フレーム（樋部）３の裏側に長手方向に沿って横、斜め上方、又は上方へ開口する溝Ｖが形成されている。
【００５６】
そして、本実施の形態の水受け具Ａは、そのシート止め材Ｆから流れ落ちる水を受けるとともに、その水を排出する排出口４ａと、この排出口４ａに通じる水路４０が形成される受け皿部４と、この受け皿部４上に位置してシート止め材Ｆを取付け可能な取付け部５とを備える。さらに、その取付け部５には、シート止め材Ｆの上記溝Ｖ内に挿入される挿入部８ａを含む突条８Ｃ，８Ｌ，８Ｒがシート止め材Ｆの長手方向に隙間８０，８１をあけて複数設けられ、その隙間８０，８１が受け皿部４の水路４０に通じている。
【００５７】
前述のように、上側のシート定着フレーム（樋部）３の裏側に形成された溝Ｖが横、斜め上方、又は上方へ開口する場合、その溝Ｖに水が溜まり、その水が増えると水受け具から離れる方向へ流れる可能性がある。しかし、そのようなシート止め材Ｆを利用する場合であっても、そのシート止め材Ｆに上記水受け具Ａを装着すれば、各突条８Ｃ，８Ｌ，８Ｒの挿入部８ａによって水が溝Ｖへ流入するのを抑制し、水が溝Ｖを水受け具Ａから離れる方向へ流れるのを妨げられる。
【００５８】
さらに、上記水受け具Ａでは、挿入部８ａを含む突条８Ｃ，８Ｌ，８Ｒが断続的に設けられ、突条８Ｃ，８Ｌ，８Ｒ間にできる隙間８０，８１が水路４０に通じている。このため、シート止め材Ｆが少なくとも一以上の隙間８０，８１を跨ぐように水受け具Ａを装着すれば、上側のシート定着フレーム（樋部）３の裏側に回り込んだ水が一つの突条（例えば、中央の突条８Ｃ）における挿入部８ａと溝Ｖとの間に入り込んだとしても、隣の突条（例えば、左側の突条８Ｌや右側の突条８Ｒ）より手前にある隙間８０，８１によってその水を水路４０へと逃がし、隣の突条における挿入部８ａと溝Ｖとの間に水が入り込むのを防止する。
【００５９】
このため、本実施の形態の上側のシート定着フレーム３のようなシートを伝い落ちる水が流入する樋部の裏側に、横、斜め上方、又は上方へ開口して水が溜まる可能性のある溝Ｖができても、その溝Ｖに水が溜まるのを抑制できるとともに、その溝Ｖに水が入り込んだとしても、その水が水受け具Ａから外れた位置まで移動するより前に水受け具Ａに回収できる。よって、本実施の形態の水受け具Ａを利用すれば、樋部の裏側に回り込んだ水が溝Ｖを伝い、水受け具Ａから外れた位置でシート止め材Ｆから落下するのを防止できる。
【００６０】
また、本実施の形態では、突条８Ｃ，８Ｌ，８Ｒがシート止め材Ｆの長手方向に並べて三つ設けられている。このため、水受け具Ａが左右に並ぶシート止め材Ｆ，Ｆのジョイントとして利用される場合、左右のシート止め材Ｆ，Ｆの端が両方とも中央の突条８Ｃに重なるようにして水受け具Ａを装着すれば、左右のシート止め材Ｆ，Ｆの両方で水受け具Ａから外れた位置から水が落ちるのを防止できる。
【００６１】
なお、このような効果は、突条８Ｃ，８Ｌ，８Ｒの数が三以上であれば同様に得られる。このため、挿入部８ａを含む突条の数を四以上にしてもよい。また、一本のシート止め材Ｆの溝Ｖに挿入される挿入部８ａが断続的に設けられるようになっていれば、挿入部８ａを含む突条と突条の間に、シート止め材Ｆを支えるのに特化した支持部（挿入部８ａをもたず、シート止め材Ｆの裏面に当接する部分）を設けてもよい。
【００６２】
さらに、シート止め材の樋部の裏側に水が溜まる可能性のある溝が形成される場合であっても、その取付け角度等によっては水受け具から外れた位置で水が落ちる不具合の発生がない。そこで、その不具合の発生するシート止め材Ｆの溝Ｖに挿入される挿入部８ａを含む突条に切欠き（隙間８０，８１となる部分）を後加工で形成し、これによって突条を複数に分けてもよい。つまり、水受け具Ａによって上記不具合の発生するシート止め材Ｆと、不具合の発生しないシート止め材Ｆとをつなぐ場合には、突条８Ｃ，８Ｌ，８Ｒは二つであってもよい。
【００６３】
また、本実施の形態では、水受け具Ａが装着されたシート止め材Ｆの短手方向に沿う方向で切断したときの挿入部８ａの外周形状は、これと同方向で切断したときの溝Ｖの内側形状と符合する形状となっている。当該構成によれば、挿入部８ａで溝Ｖを略完全に埋められる。このため、挿入部８ａによって水が溝Ｖへ流入するのを抑制したり、水が溝Ｖを水受け具Ａから離れる方向へ流れるのを妨げたりする効果が高い。よって、シート止め材Ｆの水受け具Ａから外れた位置から水が落ちるのをより確実に防止できる。
【００６４】
さらに、本実施の形態では、挿入部８ａを含む部分が溝Ｖの長手方向に沿って長い横長の突条８Ｃ，８Ｌ，８Ｒであって挿入部８ａの横幅を長くできるので、その挿入部８ａによって溝Ｖの長手方向の広い範囲を埋められる。このことによっても、挿入部８ａによって水が溝Ｖへ流入するのを抑制したり、水が溝Ｖを水受け具Ａから離れる方向へ流れるのを妨げたりする効果が高く、シート止め材Ｆの水受け具Ａから外れた位置から水が落ちるのをより確実に防止できる。
【００６５】
しかし、挿入部８ａによって水が溝Ｖへ流入するのを抑制したり、水が溝Ｖを水受け具Ａから離れる方向へ流れるのを妨げたりできれば、挿入部８ａと溝Ｖとの間に多少隙間ができてもよく、挿入部８ａの形状は変更できる。また、各突条８Ｃ，８Ｌ，８Ｒの挿入部８ａの形状は同じでも異なっていてもよい。さらに、本実施の形態において挿入部８ａを含む部分は横長の突条８Ｃ，８Ｌ，８Ｒであるが、横幅の短い突部であってもよく、挿入部８ａを含む突条と突部の両方が取付け部５に設けられていてもよい。
【００６６】
また、本実施の形態に係る水受け具Ａが装着されるシート止め材Ｆは、横並びに配置される露受けフレーム１及び下側のシート定着フレーム２と、これらの上側に重なるように配置される上側のシート定着フレーム３とを有する。そして、上側のシート定着フレーム３には、屋根シート（シート）Ｂ１が定着可能で、下側のシート定着フレーム２には、側面シート（他のシート）Ｂ２が定着可能となっている。
【００６７】
さらに、上下のシート定着フレーム３，２は、それぞれ、長尺板状の底部３ａ，２ａと、その底部３ａ，２ａの長手側の二辺から互いに接近しつつ起立する第一の側部３ｂ，２ｂ及び第二の側部３ｃ，２ｃとを含み、上側のシート定着フレーム３の底部３ａに、下側のシート定着フレーム２において露受けフレーム１側に位置する第一の側部２ｂが連なっている。そして、上側のシート定着フレーム３が屋根シート（シート）Ｂ１を伝い落ちる水が流入可能な樋部となり、その上側のシート定着フレーム３の底部３ａと下側のシート定着フレーム２の第一の側部２ｂとの間が樋部の裏側に長手方向に沿って形成される溝Ｖとなっている。
【００６８】
このように、上側のシート定着フレーム３が樋部となって、その下側のシート定着フレーム２との間に溝Ｖが形成される場合、他部品との関係で上下のシート定着フレーム３，２の形状を大きく変えられないことがある。これにより、上下のシート定着フレーム３，２の形状変更によって、上側のシート定着フレーム３が樋部とならないようにしたり、溝Ｖができないようにしたり、溝Ｖに水が溜まらないような溝形状や開口方向にしたりするのが難しい。このため、上記シート止め材Ｆに本実施の形態に係る水受け具Ａを装着するのが特に有効である。
【００６９】
なお、シート止め材がシートを伝い落ちる水が流入可能な樋部を有し、取付け状態でその樋部の裏側に長手方向に沿って横、斜め上方、又は上方へ開口する溝が形成されるものであれば、本発明に係る水受け具を装着することで、水受け具から外れた位置から水が落ちるのを防止できる。このため、本発明に係る水受け具が装着されるシート止め材は、上記シート止め材Ｆに限られない。さらには、前述のように、本実施の形態に係る水受け具Ａは、シート止め材を直列に接続するジョイントとしても機能できる。このため、裏側に水の溜まる可能性のある溝が形成された樋部を含まないシート止め材に上記水受け具Ａを装着してもよいのは勿論である。
【００７０】
また、本実施の形態では、シート止め材Ｆの露受けフレーム１は、下側のシート定着フレーム２の底部２ａと横並びに配置される長尺板状の受け部１ａと、その受け部１ａにおける下側のシート定着フレーム２側の基端と上側のシート定着フレーム３の底部３ａとをつなぐ連結部１ｂとを含む。そして、シート止め材Ｆに装着される水受け具Ａの取付け部５には、露受けフレーム１の受け部１ａの先端（上記基端と反対側の端）を上側から押さえる第一の押さえ部６Ｌ，６Ｒと、弾性を有して下側のシート定着フレーム３の第二の側部３ｃを上側から押さえる第二の押さえ部７とが設けられている。また、上記取付け部５の突条８Ｃ，８Ｌ，８Ｒは、上側のシート定着フレーム３の底部３ａを下側から支える。
【００７１】
上記構成によれば、第一の押さえ部６Ｌ，６Ｒと第二の押さえ部７とでシート止め材Ｆを短手方向の両側から支えるとともに、第一、第二の押さえ部６Ｌ，６Ｒ，７と突条８Ｃ，８Ｌ，８Ｒとでシート止め材Ｆを上下方向の両側から支え、これにより取付け部５にシート止め材Ｆを保持できる。
【００７２】
さらに、第二の押さえ部７が弾性を有しているので、この第二の押さえ部７を弾性変形させることによってシート止め材Ｆの下側から上下方向（シート止め材の長手方向に直交する方向）へ水受け具Ａを着脱できる。つまり、水受け具Ａをシート止め材Ｆの長手方向へスライドさせることなくシート止め材Ｆに着脱できるので、ビニールハウスＨの骨組にシート止め材Ｆが固定された状態であっても水受け具Ａの着脱が容易であり、これにより水受け具Ａの交換作業を容易にできる。
【００７３】
また、上記構成によれば、突条８Ｃ，８Ｌ，８Ｒを上側のシート定着フレーム３の底部３ａに押し付けられる。このため、その突条８Ｃ，８Ｌ，８Ｒで底部３ａをシールできるので、突条８Ｃ，８Ｌ，８Ｒによって水が溝Ｖへ流入するのを抑制したり、水が溝Ｖを水受け具Ａから離れる方向へ流れるのを妨げたりする効果が高く、シート止め材Ｆの水受け具Ａから外れた位置から水が落ちるのをより確実に防止できる。
【００７４】
なお、本実施の形態では、第一の押さえ部６Ｌ，６Ｒが中央溝５０ａを挟んで左右二本に分かれ、第二の押さえ部７が中央溝５０ａを跨ぐように一本設けられている。しかし、第一の押さえ部６Ｌ，６Ｒは、一続きになっていてもよく、三以上に分かれていてもよい。同様に、第二の押さえ部７も、複数に分かれていてもよい。
【００７５】
また、本実施の形態の水受け具Ａでは、取付け部５における下側のシート定着フレーム２の底部２ａと対向する部分に、第二の押さえ部７へ向けて下り勾配となる傾斜面５０ｂが形成されている。当該構成によれば、傾斜面５０ｂと第二の押さえ部７との間に広い隙間ができる。これにより、シート止め材Ｆの下側から水受け具Ａを装着する際に、下側のシート定着フレーム２の第二の側部２ｃを含む部分をその広い隙間へ逃がしつつ、溝Ｖに挿入部８ａを挿入できる。
【００７６】
このため、シート止め材Ｆの下側から水受け具Ａを上下方向へ着脱する場合であって、挿入部８ａを設けた場合であっても、水受け具着脱時の第二の押さえ部７の変形量を少なくしてその負荷を軽減できるとともに、水受け具Ａの着脱作業を容易にできる。なお、シート止め材Ｆの左右方向（長手方向）へしか水受け具Ａを着脱しない場合等には、傾斜面５０ｂを廃してもよい。
【００７７】
また、本実施の形態の水受け具Ａは、シート止め材Ｆの左端又は右端（長手方向の一端）を突当可能なストッパ部９を備え、そのストッパ部９の根本がくびれている。このため、ストッパ部９を容易に除去できる。そして、前述のように、水受け具Ａはシート止め材Ｆの下側から上下方向へ着脱できて、ストッパ部９を除去すれば、シート止め材Ｆの長手方向のどの位置でも水受け具Ａを装着できる。さらに、温度等の影響でシート止め材Ｆが延び、隣り合うシート止め材Ｆ，Ｆの間隔が狭くなっても、ストッパ部９を除去すれば水受け具Ａを容易に着脱できる。
【００７８】
なお、本実施の形態では、ストッパ部９が第二の押さえ部７に設けられている。しかし、ストッパ部９の位置は、この限りではない。例えば、ストッパ部９が中央の突条８Ｃの上端に設けられていてもよい。さらに、左右の第一の押さえ部６Ｌ，６Ｒをつなぐブリッジ部を設け、このブリッジ部にストッパ部を設けてもよい。また、ストッパ部９の数は、二以上でもよい。また、ストッパ部９を除去する可能性があっても、ストッパ部９の大きさや素材等によってはストッパ部９の根本がくびれていなくてもよい。さらには、シート止め材Ｆの左右方向（長手方向）へしか水受け具Ａを着脱しない場合等、ストッパ部９を除去する必要がなければストッパ部９の根本がくびれていなくてもよいのは勿論である。
【００７９】
以上、本発明の好ましい実施の形態を詳細に説明したが、特許請求の範囲から逸脱しない限り、改造、変形、及び変更が可能である。
【符号の説明】
【００８０】
Ａ・・・水受け具、Ｂ１・・・屋根シート（シート）、Ｂ２・・・側面シート（他のシート）、Ｆ・・・シート止め材、Ｖ・・・溝、１・・・露受けフレーム、１ａ・・・受け部、１ｂ・・・連結部、２・・・下側のシート定着フレーム、２ａ・・・底部、２ｂ・・・第一の側部、２ｃ・・・第二の側部、３・・・上側のシート定着フレーム（樋部）、３ａ・・・底部、３ｂ・・・第一の側部、３ｃ・・・第二の側部、４・・・受け皿部、４ａ・・・排出口、５・・・取付け部、６Ｌ，６Ｒ・・・第一の押さえ部、７・・・第二の押さえ部、８Ｃ，８Ｌ，８Ｒ・・・突条、８ａ・・・挿入部、９・・・ストッパ部、４０・・・水路、５０ｂ・・・傾斜面、８０，８１・・・隙間
【図１】
2020182425.tif 000003
【図２】
2020182425.tif 000004
【図３】
2020182425.tif 000005
【図４】
2020182425.tif 000006
【図５】
2020182425.tif 000007
【図６】
2020182425.tif 000008